(57)【要約】【課題】  ゴルフのクラブ、テニスのラケット、野球のバット等のグリップを握る際の握力を補強し、スイング軌道を安定させるとともに、グリップが緩むのを防止する。【解決手段】  手指１６の第３関節１８に隣接する甲１９の部分を締め付ける弾性を有するバンド部２と、バンド部２の両端部に設けられる固着手段と、バンド部２に一体に設けられる指掛け部８とを備える。バンド部２を手１５の甲１９に周回させ、指掛け部８を親指１７の付根に引っ掛け、バンド部２の両端部間を固着手段で接合する。この状態で例えばゴルフクラブのグリップを握ると、バンド部２による締付け力によって握力が補強され、クラブのスイング軌道を安定させ、スイング中にグリップに緩みが生じるのが防止される。【選択図】        図５
2006043179.tif 000002
【特許請求の範囲】
【請求項１】
手指の第３関節に隣接する甲の部分を締め付ける弾性を有するバンド部と、該バンド部を手に固着させる固着手段とを備えてなることを特徴とするグリップ補助具。
【請求項２】
前記バンド部は、帯状をなすものであって、手指の第３関節に隣接する甲の部分を周回するように構成されていることを特徴とする請求項１に記載のグリップ補助具。
【請求項３】
前記固着手段は、前記バンド部の両端部に設けられる面ファスナーであって、該面ファスナーにより前記バンド部が甲の部分を周回した状態に固着されることを特徴とする請求項２に記載のグリップ補助具。
【請求項４】
前記バンド部の一部には、親指の付根に引っ掛けるための指掛け部が設けられていることを特徴とする請求項１から３の何れかに記載のグリップ補助具。
【請求項５】
前記バンド部は、弾性を有する素材からなる外バンド部と、該外バンド部の内側に一体に設けられる外バンド部よりも軟質の弾性を有する素材からなる内バンド部とからなる締付け部を有し、該締付け部を甲の部分に密着させるように構成したことを特徴とする請求項１から４の何れかに記載のグリップ補助具。
【請求項６】
請求項１から５の何れかに記載のグリップ補助具を備えてなることを特徴とする手袋。
【発明の詳細な説明】
【技術分野】
【０００１】
本発明は、グリップ補助具及び手袋に関し、特に、ゴルフ、テニス、野球等のスポーツの他、コンピュータ等のキーボードの操作、鍵盤楽器等の演奏等に有効なグリップ補助具及び手袋に関するものである。
【背景技術】
【０００２】
一般に、ゴルフのクラブ、テニスのラケット、野球のバット等によりボールを打とうとする場合、クラブ、ラケット、バット等のスイング軌道を安定させるため、スイング中グリップを一定の力で握り続け、グリップが緩んだり、手首の角度がブレたりするのを防止する必要がある。特に、ボールを打つインパクトの瞬間には、インパクトの衝撃に耐え得る力で握る必要がある。
【０００３】
しかし、握力の弱い女性等は、スイング軌道を安定させるのに十分な力でグリップを握ることができず、グリップに緩みが生じたり、手首の角度にブレが生じたりすることがあり、上達を妨げる原因となる。
【０００４】
ゴルフのスイング中における手首のブレを防止するため、手の甲から手首にかけて板状の硬質の甲当て部を密着させ、この甲当て部の端部に設けた手首固定部を手首に固着させることにより、手首の角度を一定に保つように構成した保護具が提案されている（例えば、特許文献１参照。）。
【０００５】
しかし、特許文献１に記載されている保護具は、手首の角度を固定することはできるものの、握力を補強する機能は備えていないため、ボールを打つインパクトの瞬間にグリップが緩むことは避けられない。
【０００６】
一方、コンピュータ等のキーボードの操作、鍵盤楽器等の演奏等を長時間続ける場合、手指の動きを支え続けることによって手首に負担がかかり、腱鞘炎等を引き起こすことがある。
【０００７】
このような問題に対処するため、親指及び手のひらを露出させるとともに、人差し指、中指、薬指及び小指の先端部を露出させ、親指を除く４本の指を収納する部分を互いに縫い合わせて、それらの指の付根付近に非伸縮性の帯を縫い込み、各指が無理のない範囲内で動くように構成して、手首の負担を緩和させるように構成した手袋が提案されている（例えば、特許文献２参照。）。
【０００８】
しかし、特許文献２に記載されている手袋は、手首の負担をある程度は緩和させることができても、腱鞘炎を防止する程には緩和させることはできない。
【特許文献１】実公平５−８２４６６号公報
【特許文献２】特開２０００−２３１４３６号公報
【発明の開示】
【発明が解決しようとする課題】
【０００９】
本発明は、上記のような従来の問題を解決したものであって、ゴルフのクラブ、テニスのラケット、野球のバット等をスイングしてボールを打つ場合に、スイング軌道を安定させることができるとともに、ボールを打つインパクトの瞬間にグリップに緩みが生じるようなことがないグリップ補助具を提供することを第１の目的とするものである。
【００１０】
また、コンピュータ等のキーボードの操作、鍵盤楽器等の演奏等を長時間行う場合に、手指を支える手首の負担を緩和することができて、腱鞘炎等を引き起こすのを防止できるグリップ補助具を提供することを第２の目的とするものである。
【課題を解決するための手段】
【００１１】
上記のような課題を解決するために、本発明の請求項１に係るグリップ補助具は、手指の第３関節に隣接する甲の部分を締め付ける弾性を有するバンド部と、該バンド部を手に固着させる固着手段とを備えてなる手段を採用している。
【００１２】
また、本発明の請求項２に係るグリップ補助具は、請求項１に記載のグリップ補助具であって、前記バンド部は、帯状をなすものであって、手指の第３関節に隣接する甲の部分を周回するように構成されている手段を採用している。
【００１３】
さらに、本発明の請求項３に係るグリップ補助具は、請求項２に記載のグリップ補助具であって、前記固着手段は、前記バンド部の両端部に設けられる面ファスナーであって、該面ファスナーにより前記バンド部が甲の部分を周回した状態に固着される手段を採用している。
【００１４】
さらに、本発明の請求項４に係るグリップ補助具は、請求項１から３の何れかに記載のグリップ補助具であって、前記バンド部の一部には、親指の付根に引っ掛けるための指掛け部が設けられている手段を採用している。
【００１５】
さらに、本発明の請求項５に係るグリップ補助具は、請求項１から４の何れかに記載のグリップ補助具であって、前記バンド部は、弾性を有する素材からなる外バンド部と、該外バンド部の内側に一体に設けられる外バンド部よりも軟質の弾性を有する素材からなる内バンド部とからなる締付け部を有し、該締付け部を甲の部分に密着させるように構成した手段を採用している。
【００１６】
さらに、本発明の請求項６に係る手袋は、請求項１から５の何れかに記載のグリップ補助具を備えてなる手段を採用している。
【発明の効果】
【００１７】
本発明は、前記のように構成したことにより、バンド部によって手指の第３関節に隣接する甲の部分を締め付けることにより、手を握った際に手の握力が補強されることになる。従って、握力の弱い女性等がゴルフのクラブ、テニスのラケット、野球のバット等を握る場合に握力が補強されることになるので、クラブ、ラケット、バット等のスイング軌道を安定させることができるとともに、ボールを打つ瞬間にインパクトの衝撃によってグリップが緩むようなことはなく、ボールの飛球方向を安定させることができる。この結果、グリップを握る力が弱い女性等であっても、そのことによって上達が阻害されるようなことがなくなる。
また、コンピュータ等のキーボードの操作、鍵盤楽器等の演奏等を行う場合に、バンド部が甲の部分を締め付ける力によって手指を支える手首の負担を緩和させることができるので、腱鞘炎等を引き起こす原因を取り除くことができることになる。
【発明を実施するための最良の形態】
【００１８】
以下、図面に示す本発明の実施の形態について説明する。
図１及び図２には、本発明によるグリップ補助具の一実施の形態が示されていて、このグリップ補助具１は、手の甲の一部に装着されるバンド部２と、バンド部２を手の甲の一部に固着させる固着手段９と、バンド部２に一体に設けられる指掛け部８とを備えている。
【００１９】
バンド部２は、弾性を有する素材からなる帯状をなすものであって、後述する手指１６の第３関節１８に隣接する甲１９の部分を周回し、この状態で両端部が重合し得る長さに形成されている。バンド部２の素材としては、各種のゴム、合成樹脂等を挙げることができる。
【００２０】
バンド部２は、図７に示すように、手１５の甲１９に対応する部分を外バンド部４とその内側に一体に設けられる内バンド部５とからなる二層構造の締付け部３に構成しても良い。この場合、内バンド部５を外バンド部４よりも軟質の弾性を有する素材で形成することにより、装着感を高めることができる。また、内バンド部５に内方に突出する複数の突起６を設け、各突起６を甲１９に当接させることにより、突起６により甲１９の壺を刺激することもできる。突起６の形状は特に制限されるものではなく、この実施の形態においては表面を球面に形成している。
【００２１】
バンド部２の両端部には、図２に示すように、固着手段９が設けられ、この固着手段９によりバンド部２が手１５の甲１９を周回した状態に固着される。固着手段９としては、バンド部２の両端部間を接離させる機能を備えたものであれば特に制限はなく、例えば市販の面ファスナー９（マジックテープ（登録商標、（株）クラレ）等）を挙げることができる。面ファスナー９のフック１０をバンド部２の一方の端部に設け、ループ１１を他方の端部に設けることにより、バンド部２の両端部間を接離可能に構成することができる。
【００２２】
バンド部２の端部にはリング状の指掛け部８が設けられている。指掛け部８は、バンド部２と略直交するように設けられ、バンド部２を手１５の甲１９に周回させたときに、親指１７の付根に引っ掛けるように構成されている。指掛け部８は、図示はしないが、面ファスナーを用いてバンド部２に着脱自在に構成しても良いし、バンド部２に接着、縫合等の手段により一体に設けても良い。指掛け部８は、バンド部２が甲１９の所定の位置からずれるのを防止する機能を有している。
【００２３】
そして、上記のように構成したこの実施の形態によるグリップ補助具１を、図３及び図４に示すように、バンド部２を手指１６の第３関節１８に隣接する甲１９の部分に周回させ、指掛け部８を親指１７の付根に引っ掛け、バンド部２の両端部間を面ファスナー９を介して接合し、グリップ補助具１を手１５の甲１９の部分に固着させる。
【００２４】
そして、図５に示すように、例えばゴルフクラブのグリップ（図示せず）を握ると、バンド部２の締付け力によって手１５の甲１９の部分に矢印の方向から力が加わり、この力によってグリップを握る力が補強されることになる。
【００２５】
従って、クラブをスイングする際に、クラブのスイング軌道を安定させることができるとともに、ボールを打つインパクトの瞬間にグリップが緩むのを防止でき、ボールの飛球方向を安定させることができる。
【００２６】
また、図６に示すように、コンピュータ等のキーボードの操作、鍵盤楽器等の演奏等を行った場合には、バンド部２の締付け力によって手１５の甲１９の部分に矢印の方向から力が加わり、この力によって手指１６の動きを支えることができる。従って、手首のみによって手指１６の動きを支える場合と比較して手首の負担を緩和させることができるので、腱鞘炎等を引き起こす原因を取り除くことができる。
【００２７】
なお、前記の説明においては、バンド部２によって手１５の甲１９を周回させるように構成したが、図８に示すように、バンド部２の両端部に係止部７、７を設け、この係止部７、７を手のひら側に係止させることによってバンド部２を手に固着させるように構成しても良い。
【００２８】
なお、図示はしないが、前述したグリップ補助具１を手袋の内面に接着、縫合等の手段によって一体に設け、手袋を手に装着することにより、グリップ補助具１としての機能を発揮させるように構成しても良い。この場合、バンド部２は、手袋を手に装着することによって所定の位置に保持することができるので、指掛け部８は不要となる。
【図面の簡単な説明】
【００２９】
【図１】本発明によるグリップ補助具の一実施の形態の全体を示した斜視図である。
【図２】図１に示すグリップ補助具の固着手段の拡大図である。
【図３】図１に示すグリップ補助具を手に装着した状態を示した説明図であって、手の甲側から見た説明図である。
【図４】図１に示すグリップ補助具を手に装着した状態を示した説明図であって、手のひら側から見た説明図である。
【図５】図１に示すグリップ補助具を手に装着した状態でゴルフクラブ等を握った状態を示した説明図である。
【図６】図１に示すグリップ補助具を手に装着した状態でコンピュータ等のキーボード等を操作した状態を示した説明図である。
【図７】本発明によるグリップ補助具の変形例を示した部分説明図である。
【図８】本発明によるグリップ補助具の他の変形例を示した斜視図である。
【符号の説明】
【００３０】
１  グリップ補助具
２  バンド部
３  締付け部
４  外バンド部
５  内バンド部
６  突起
７  係止部
８  指掛け部
９  固着手段（面ファスナー）
１０  フック
１１  ループ
１５  手
１６  手指
１７  親指
１８  第３関節
１９  甲
【図１】
2006043179.tif 000003
【図２】
2006043179.tif 000004
【図３】
2006043179.tif 000005
【図４】
2006043179.tif 000006
【図５】
2006043179.tif 000007
【図６】
2006043179.tif 000008
【図７】
2006043179.tif 000009
【図８】
2006043179.tif 000010